(57)【要約】【課題】冷却ファンの回転に異常を生じた場合でも装置内部の温度上昇を最小限に抑え、光源ランプを確実に冷却させる。【解決手段】光源ランプ18と、入力された画像信号に対応した画像を光源ランプ18からの光により投影する投影処理部76、表示素子28、投影レンズ45を含む投影部と、光源ランプ18を冷却する冷却風を発生する複数のファン87と、複数のファン個々の異常を検出するファン制御部83と、異常を検出したファンを停止させ、他の正常なファンを稼働して光源ランプ18の冷却を継続させる制御部80とを備える。【選択図】      図４
2006235317.tif 000002
【特許請求の範囲】
【請求項１】
光源ランプと、
入力された画像信号に対応した画像を上記光源ランプからの光により投影する投影手段と、
上記光源ランプを冷却する冷却風を発生する複数のファンと、
これら複数のファン個々の異常を検出する検出手段と、
この検出手段で異常を検出したファンを停止させ、他の正常なファンを稼働して上記光源ランプの冷却を継続させる制御手段と
を具備したことを特徴とする投影装置。
【請求項２】
上記制御手段は、上記光源ランプからの光による上記投影手段での投影動作時にファンの異常を検出すると、上記光源ランプを消灯させた上で他の正常なファンを稼働して上記光源ランプの冷却を継続させることを特徴とする請求項１記載の投影装置。
【請求項３】
上記制御手段は、通常の投影モードに比して上記光源ランプでの発光輝度を抑えると共に上記複数のファンの各回転速度を抑える静音モード時にファンの異常を検出すると、上記光源ランプを消灯させ、異常を検出したファンを停止させた上で当該静音モードを解除し、他の正常なファンを少なくとも通常の投影モード時の各回転速度で稼働して上記光源ランプの冷却を継続させることを特徴とする請求項２記載の投影装置。
【請求項４】
上記制御手段は、上記光源ランプを消灯した非投影動作時にファンの異常を検出すると、他の正常なファンを稼働して上記光源ランプの冷却を所定条件となるまで継続させることを特徴とする請求項１記載の投影装置。
【請求項５】
光源ランプと、入力された画像信号に対応した画像を上記光源ランプからの光により投影する投影部と、上記光源ランプを冷却する冷却風を発生する複数のファンとを備えた投影装置の運転制御方法であって、
上記複数のファン個々の異常を検出する検出工程と、
この検出工程で異常を検出したファンを停止させ、他の正常なファンを稼働して上記光源ランプの冷却を継続させる制御工程と
を有したことを特徴とする投影装置の運転制御方法。
【請求項６】
光源ランプと、入力された画像信号に対応した画像を上記光源ランプからの光により投影する投影部と、上記光源ランプを冷却する冷却風を発生する複数のファンとを備えた投影装置に内蔵されたコンピュータが実行するプログラムであって、
上記複数のファン個々の異常を検出する検出ステップと、
この検出ステップで異常を検出したファンを停止させ、他の正常なファンを稼働して上記光源ランプの冷却を継続させる制御ステップと
をコンピュータに実行させることを特徴とするプログラム。
【発明の詳細な説明】
【技術分野】
【０００１】
本発明は、光源に高圧水銀ランプ等の冷却が必要な高温となるランプを使用する投影装置、投影装置の運転制御方法及びプログラムに関する。
【背景技術】
【０００２】
従来よりプロジェクタ装置では、非常に高温となる高圧水銀灯等の光源ランプの劣化防止の目的も含んで、投影動作時のみならず、投影動作後もアフタークーリングと称される、投影を完了し、光源ランプを消灯した後にも複数の冷却ファンを継続して駆動させ、光源ランプを含む筐体内部を充分に冷却することが必要であった。
【０００３】
この種のプロジェクタ装置では、通常の投影時よりも光源ランプへの印加電圧を低減してその発光輝度を抑え、併せて各冷却ファンの動作（回転）速度を抑えることで静音化を図るようにした動作モード（静音モード）を設けるものもある。
【０００４】
また、この静音モードとは別に、冷却ファンによる騒音を低減させるべく、液晶プロジェクタの内部温度を検出し、検出した温度に応じた駆動電圧で冷却ファンを回転駆動するようにした液晶プロジェクタの技術が開示されている。（例えば、特許文献１）
しかるに、複数の冷却ファンは一般に上記静音モードでの動作を含めて一括して駆動制御するものとなっている。そのため、例えば１つの冷却ファンのファンブレード部に異物が挿入され、あるいは回転軸部に綿埃が絡みつくなどしてその回転が阻害された場合には、ファンの破壊及びファンによる挿入物等の破壊を防止するべく、光源ランプを消灯させると共に、全冷却ファンを一括して停止させるようにしていた。
【特許文献１】特開２００２−０７２１７０号公報
【発明の開示】
【発明が解決しようとする課題】
【０００５】
しかしながら、冷却ファンの１つへの異物の挿入等によって全冷却ファンを一括して停止させる場合、それに伴って光源ランプも消灯させるものであるが、冷却ファンの停止に伴って冷却風がプロジェクタ装置内を全く流れなくなってしまうため、装置自体の蓄熱状態によっては、光源ランプ消灯後も一定時間は内部温度が上昇し、その後に内部温度が緩やかに下降するように動作してしまうことがある。
【０００６】
すなわち、冷却ファンの一括停止により光源ランプを正しく冷却できない事態が生じるもので、高価な光源ランプを劣化させ、その寿命を著しく縮めてしまうことや、場合によっては光源ランプを破裂させてしまうこともあり得る、という不具合があった。
【０００７】
本発明は上記のような実情に鑑みてなされたもので、その目的とするところは、冷却ファンの回転に異常を生じた場合でも装置内部の温度上昇を最小限に抑え、光源ランプを確実に冷却させることが可能な投影装置、投影装置の運転制御方法及びプログラムを提供することにある。
【課題を解決するための手段】
【０００８】
請求項１記載の発明は、光源ランプと、入力された画像信号に対応した画像を上記光源ランプからの光により投影する投影手段と、上記光源ランプを冷却する冷却風を発生する複数のファンと、これら複数のファン個々の異常を検出する検出手段と、この検出手段で異常を検出したファンを停止させ、他の正常なファンを稼働して上記光源ランプの冷却を継続させる制御手段とを具備したことを特徴とする。
【０００９】
請求項２記載の発明は、上記請求項１記載の発明において、上記制御手段は、上記光源ランプからの光による上記投影手段での投影動作時にファンの異常を検出すると、上記光源ランプを消灯させた上で他の正常なファンを稼働して上記光源ランプの冷却を継続させることを特徴とする。
【００１０】
請求項３記載の発明は、上記請求項１記載の発明において、上記制御手段は、通常の投影モードに比して上記光源ランプでの発光輝度を抑えると共に上記複数のファンの各回転速度を抑える静音モード時にファンの異常を検出すると、上記光源ランプを消灯させ、異常を検出したファンを停止させた上で当該静音モードを解除し、他の正常なファンを少なくとも通常の投影モード時の各回転速度で稼働して上記光源ランプの冷却を継続させることを特徴とする。
【００１１】
請求項４記載の発明は、上記請求項１記載の発明において、上記制御手段は、上記光源ランプを消灯した非投影動作時にファンの異常を検出すると、他の正常なファンを稼働して上記光源ランプの冷却を所定条件となるまで継続させることを特徴とする。
【００１２】
請求項５記載の発明は、光源ランプと、入力された画像信号に対応した画像を上記光源ランプからの光により投影する投影部と、上記光源ランプを冷却する冷却風を発生する複数のファンとを備えた投影装置の運転制御方法であって、上記複数のファン個々の異常を検出する検出工程と、この検出工程で異常を検出したファンを停止させ、他の正常なファンを稼働して上記光源ランプの冷却を継続させる制御工程とを有したことを特徴とする。
【００１３】
請求項６記載の発明は、光源ランプと、入力された画像信号に対応した画像を上記光源ランプからの光により投影する投影部と、上記光源ランプを冷却する冷却風を発生する複数のファンとを備えた投影装置に内蔵されたコンピュータが実行するプログラムであって、上記複数のファン個々の異常を検出する検出ステップと、この検出ステップで異常を検出したファンを停止させ、他の正常なファンを稼働して上記光源ランプの冷却を継続させる制御ステップとをコンピュータに実行させることを特徴とする。
【発明の効果】
【００１４】
請求項１記載の発明によれば、複数の冷却ファンのうちの一部に異常を検出した場合でも他の正常な冷却ファンにより冷却動作を継続するため、光源ランプを確実に冷却させることが可能となる。
【００１５】
請求項２記載の発明によれば、上記請求項１記載の発明の効果に加えて、投影動作時には光源ランプを消灯した上でその冷却動作に入るため、より確実に光源ランプを冷却させることができる。
【００１６】
請求項３記載の発明によれば、上記請求項１記載の発明の効果に加えて、静音モード時に冷却ファンに異常を生じた場合には、静音モードを解除することで他の正常な冷却ファンの有している冷却能力をフルに活用し、より確実に光源ランプを確実に冷却させることができる。
【００１７】
請求項４記載の発明によれば、上記請求項１記載の発明の効果に加えて、アフタークーリング動作時に冷却ファンの一部に異常が生じた場合でも、光源ランプの冷却が不要となる状態まで確実に冷却を継続する。
【００１８】
請求項５記載の発明によれば、複数の冷却ファンのうちの一部に異常を検出した場合でも他の正常な冷却ファンにより冷却動作を継続するため、光源ランプを確実に冷却させることが可能となる。
【００１９】
請求項６記載の発明によれば、複数の冷却ファンのうちの一部に異常を検出した場合でも他の正常な冷却ファンにより冷却動作を継続するため、光源ランプを確実に冷却させることが可能となる。
【発明を実施するための最良の形態】
【００２０】
以下本発明をプロジェクタ装置に適用した場合の実施の一形態について図面を参照して説明する。
【００２１】
図１は、このプロジェクタ装置の使用状態での外観斜視図、図２は上記プロジェクタ装置の横断平面図、図３は図２のIII−III線に沿った縦断面図である。
【００２２】
このプロジェクタ装置は、平面形状が矩形状をなすプロジェクタケース１内に、光源装置１７と、複数の画素が行方向及び列方向にマトリックス状に配列した表示エリアを有し、上記複数の画素に入射した光の出射を制御して画像を表示する表示素子２８と、上記光源装置１７からの出射光を上記表示素子２８に入射させる光源側光学系２９と、上記表示素子２８からの出射光を図示しないスクリーン等の投影面に投影する投影レンズ４５とを配置したものである。
【００２３】
上記プロジェクタケース１は、その両側面及び後面と底面とを構成するケース本体１ａと、上面パネル１ｂと、前面パネル１ｃとからなっており、その後面に、パソコン用のＵＳＢ端子及びカラー画像信号と音声信号の入力端子と、ビデオ信号入力端子と、電源コネクタ（いずれも図示せず）が設けられ、上面に、電源キー２と、上記光源装置１７の点灯を表示するランプインジケータ３及び上記光源装置１７の過熱を表示する過熱インジケータ４と、自動画質調整キー５及び静音モード設定キー６と、上記電源コネクタを商用電源に接続したスタンバイ状態と上記電源キー２をオンさせたときとで表示色が変化するパワー／スタンバイインジケータ７と、開閉蓋８を開いて操作される各種調整キー（図示せず）と、スピーカ用放音部９が設けられ、前面に、図示しないリモコン器からの赤外線信号を受けるリモコン受信部１０が設けられる。
【００２４】
また、上記プロジェクタケース１の底面には、その後側領域の両側部に配置された左右一対の後足部材１４ａと、前側領域の中央部付近にケース前縁部よりもある程度後方にずらして配置された１つの前足部材１４ｂが設けられる。
【００２５】
この後足部材１４ａ及び前足部材１４ｂは、プロジェクタの使用時（投影時）に、上記プロジェクタケース１を、その前側を高くした斜め上向き状態に支持するものであり、一対の後足部材１４ａは、プロジェクタケース１の底部に螺合された図示しないねじ脚の下端に固定されており、前足部材１４ｂは、上記プロジェクタケース１内に設けられた図示しない脚ロック機構に上下方向にスライド可能に保持されたロッド脚１５の下端に固定され、ケース底面からの突出高さを調整可能に設けられる。
【００２６】
次に、光源装置１７について説明する。この光源装置１７は、図２及び図３に示すように、光源ランプ１８と、光を出射させる開放面を有し、内部に配置された上記光源ランプ１８からの放射光を反射して上記開放面から出射するリフレクタ２１とを備える。
【００２７】
上記光源ランプ１８は、中間部に球状の膨らみ部を有する高圧水銀ランプ等のショートアークランプである。一方のリフレクタ２１は、その軸線上のリフレクタ内の点と上記開放面の前方の点とにそれぞれ焦点を有する楕円面リフレクタで、耐熱ガラス製の本体内面全体に紫外線透過性反射膜を設けており、該開放面の前側に筒状の防爆カバー２５及び防爆ガラス２４が嵌合される。
【００２８】
上記表示素子２８（図２参照）は、カラーフィルタのような入射光を着色する手段を備えない表示素子であり、この実施の形態では、一般にＤＭＤと略称されるマイクロミラー表示素子（Ｄｉｇｉｔａｌ  Ｍｉｃｒｏｍｉｒｒｏｒ  Ｄｅｖｉｃｅ）（登録商標）を用いている。以下、この表示素子２８をマイクロミラー表示素子と言う。
【００２９】
上記マイクロミラー表示素子２８は、その構成は図示しないが、１つ１つの画素をそれぞれ、ＣＭＯＳをベースとするミラー駆動素子によって一方の傾き方向と他方の傾き方向とに傾動されるアレイ状に配列されたマイクロミラーにより形成したものであり、これらのマイクロミラーは、縦横の幅が１０［μｍ］〜２０［μｍ］の極薄金属片（例えばアルミニウム片）からなる。
【００３０】
上記マイクロミラー表示素子２８は、上記プロジェクタケース１内の後部領域の一側部に、その正面方向を上記プロジェクタケース１の前面の一側部に設けられた投影口１１に対向させて配置される。
【００３１】
また、上記光源装置１７からの出射光を上記マイクロミラー表示素子２８に入射させる光源側光学系２９は、図２及び図３に示すように上記光源装置１７からの出射光を赤、緑、青の３色に順次着色するためのカラーホイール３０と、上記光源装置１７からの出射光の強度分布を均一にするための導光ロッド３３と、上記カラーホイール３０により着色され、上記導光ロッド３３により強度分布を均一にされた光を上記マイクロミラー表示素子２８の前面に向けて投射する前後２つの光源側レンズ３４，３５及びミラー３７とからなる。
【００３２】
上記カラーホイール３０は、扇状の赤、緑、青の３色のカラーフィルタが周方向に並べて設けられた回転板からなり、カラーホイール回転モータ３２の回転軸に固定され、ホイール周方向の一部を上記光源装置１７からの出射光の光路に介在させて配置されて、上記モータ３２により上記３色のカラーフィルタが上記光源装置１７からの出射光の光路を順次横切るように高速で回転駆動される。
【００３３】
上記導光ロッド３３は、上記マイクロミラー表示素子２８の複数の画素がマトリックス状に配列している表示エリアの外形と相似な断面形状を有し、内周面全体に反射膜が設けられた角筒状体からなり、その一端に光を入射させる入射面が形成され、他端に上記入射面から入射した光の出射面が形成されて、上記入射面から入射した光をロッド内周面の反射膜により反射しながら導いて上記出射面から均一な強度分布の光を出射する。
【００３４】
上記光源側レンズ３４，３５は、上記導光ロッド３３の出射側に配置されたレンズ支持筒３６内に配置される。
【００３５】
上記光源装置１７のリフレクタ２１と、上記光源側光学系２９のカラーホイール回転モータ３２と、上記導光ロッド３３と光源側レンズ３４，３５を支持したレンズ支持筒３６は、両端が開放する光源側ハウジング３８内に所定の位置関係で固定されている。
【００３６】
上記光源側光学系２９のミラー３７は平面鏡でなる。このミラー３７は、一側面と後面及び前面に開口４０，４１，４２を有し、一側面の開口４０内に上記レンズ支持筒３６の出射端を挿入し、後面の開口４１を上記マイクロミラー表示素子２８に対向させて上記プロジェクタケース１内に設置されたミラーハウジング３９内に、上記マイクロミラー表示素子２８の正面方向領域を挟んで上記レンズ支持筒３６の出射端と対向させて、上記光源装置１７から出射し、上記カラーホイール３０と導光ロッド３３と光源側レンズ３４，３５とを透過した光を上記マイクロミラー表示素子２８に向けて反射し、その反射光を上記マイクロミラー表示素子２８にその正面方向に対して一方の方向に傾いた方向から投射するように配置される。
【００３７】
上記マイクロミラー表示素子２８の前面には、このマイクロミラー表示素子２８を保護するカバーガラス４３が配置され、その前面側に、上記ミラーハウジング３９の後面の開口に設けられ、上記光源装置１７から出射し、上記光源側光学系２９によりマイクロミラー表示素子２８に投射された光を上記マイクロミラー表示素子２８の正面方向に対して所定角度傾いた方向に沿う平行光に補正して上記マイクロミラー表示素子２８に入射させ、上記マイクロミラー表示素子２８から出射した画像光を集光させて投影レンズ４５に入射させる中継レンズ４４が配置されている。
【００３８】
この中継レンズ４４は、上記光源側光学系２９からの投射光のうち、中継レンズ面で表面反射した光を、上記投影レンズ４５による投影方向以外の方向に出射するもので、その有効領域は、円形レンズのうちの上記マイクロミラー表示素子２８の表示エリアに対応する部分であり、他の部分は非有効領域であるため、この実施の形態では、円形レンズから上記非有効領域を切り落とした形状としている。
【００３９】
上記投影レンズ４５は、入射側固定鏡筒４６と、この固定鏡筒４６に係合され、回転操作により軸方向に進退移動される出射側可動鏡筒４７とを備え、これらの鏡筒４６，４７内にそれぞれ複数枚のレンズ素子を組合わせて構成されたレンズ群４８，４９を設けた可変焦点レンズであり、この固定鏡筒４６の入射端を上記中継レンズ４４を介して上記マイクロミラー表示素子２８に対向させ、上記可動鏡筒４７の出射端をプロジェクタケース１の前面の一側部に設けられた投影口１１に移動可能に嵌装して上記プロジェクタケース１内に配置される。
【００４０】
なお、上記プロジェクタケース１の投影レンズ配置側の側面には、上記投影レンズ４５の可動鏡筒４７を手動により回転させて軸方向に移動させ、上記投影レンズ４５の焦点調整を行なうための開口５０が設けられる。
【００４１】
また、上記プロジェクタケース１内には、プロジェクタケース１の後面に設けられた図示しないＵＳＢ端子、カラー画像信号及び音声信号の入力端子、ビデオ信号入力端子に接続された表示／音声系回路基板５１が、プロジェクタケース１の後面部と上記光源側ハウジング３８との間に立設状態で配置されており、この回路基板５１に、上記マイクロミラー表示素子２８と、上記プロジェクタケース１内の上面部にスピーカ用放音部９に対向させて配置されたスピーカ（図示せず）が接続される。
【００４２】
さらに、上記プロジェクタケース１内の上記光源側ハウジング３８の前側のスペースには、プロジェクタケース１の後面に設けられた図示しない電源コネクタに接続された電源系回路基板５２が水平に配置されており、この回路基板５２に、上記光源装置１７の光源ランプ１８が図示しないリード線を介して接続され、また上記カラーホイール回転モータ３２も図示しないリード線を介して接続される。
【００４３】
また、上記プロジェクタケース１内には、その上面部と光源側ハウジング３８及びミラーハウジング３９との間に、プロジェクタ制御回路基板５４が水平に配置されており、この制御回路基板５４に、上記表示／音声系回路基板５１及び電源系回路基板５２と、プロジェクタケース１の上面に設けられたランプインジケータ３及び過熱インジケータ４と、自動画質調整キー５及び静音モード設定キー６と、パワー／スタンバイインジケータ７と、開閉蓋８を開いて操作される各種調整キーと、プロジェクタケース１内にその前面のリモコン受信部１０に対向させて設けられた図示しない受信素子と、上記光源側ハウジング３８内にリフレクタ２１の近傍に位置させて配置された図示しない光源温度測定センサが接続される。
【００４４】
さらに、上記プロジェクタケース１の底面と、上記投影レンズ４５が配置された側の側面と、後面には、それぞれ、プロジェクタケース１内を空冷するための複数の長孔状吸気孔５５，５６，５７が設けられる。
【００４５】
なお、上記光源側ハウジング３８と電源系回路基板５２は、プロジェクタケース１の底面部との間に通風空間を確保して配置されており、ケース底面の複数の吸気孔５５は、上記光源側ハウジング３８及び電源系回路基板５２の下側に設けられる。
【００４６】
また、上記投影レンズ４５は、プロジェクタケース１の側面部との間に通風空間を確保して配置されており、ケース側面の複数の吸気孔５６は、上記ケース側面の投影レンズ焦点調整用開口５０よりも後側の部分の略全域にわたって設けられる。
【００４７】
さらに、上記表示／音声系回路基板５１は、プロジェクタケース１の上面部との間に通風空間を確保して配置されており、ケース後面の複数の吸気孔５７は、上記マイクロミラー表示素子２８の配置部に対応する部分に設けられる。
【００４８】
上記ケース底面の複数の吸気孔５５のうち、上記電源系回路基板５２の下側に設けられた吸気孔（図示せず）と、ケース右側面の吸気孔５６は自然吸気孔、上記ケース底面の光源側ハウジング３８の下側の部分に設けられた吸気孔５５と、ケース後面のマイクロミラー表示素子２８の配置部に対応する部分に設けられた吸気孔５７は強制吸気孔であり、上記プロジェクタケース１内には、上記強制吸気孔５５，５７にそれぞれ対向させて吸気ファン５８，５９が配置される。
【００４９】
また、上記プロジェクタケース１の光源装置１７が配置された左側の側面には、その略全体にわたって複数の長孔状排気孔６１が設けられる。
【００５０】
なお、上記プロジェクタケース１の光源装置１７が配置された側の側面は、嵌め込みパネル６０により構成されており、この嵌め込みパネル６０の略全域に上記複数の排気孔６１が設けられる。
【００５１】
これらの排気孔６１はいずれも強制排気孔であり、上記プロジェクタケース１内には、上記排気孔６１の形成領域、つまり上記嵌め込みパネル６０の略全域に対応させて、複数台、例えば３台の大風力排気ファン６２，６３，６４が配置される。
【００５２】
そして、上記吸気ファン５８，５９及び排気ファン６２，６３，６４は、上記電源系回路基板５２に接続される。
【００５３】
また、上記プロジェクタケース１の上面パネル１ｂ下面には、上記プロジェクタ制御回路基板５４と平行にして水平に延在した複数の放熱フィン６６が直接配設される。これら放熱フィン６６は、上記上記吸気ファン５８，５９及び排気ファン６２，６３，６４の回転駆動に伴う冷却風Ｗの流れに沿って、図３中では左右の方向に延在するように複数が同一間隔で並列配置され、上面パネル１ｂを介して（特にプロジェクタ直上部の）外気とプロジェクタ内を流れる冷却風Ｗとの間での熱交換を促進し、該冷却風Ｗを冷却する。
【００５４】
このプロジェクタは、光源装置１７から光を出射させ、光源側光学系２９のカラーホイール３０を高速で回転駆動させることにより、上記光源装置１７から出射して上記光源側光学系２９に入射した光を、上記カラーホイール３０により赤、緑、青の３色に順次着色し、さらに上記導光ロッド３３により強度分布を均一にして、上記光源側レンズ３４，３５及びミラー３７によりマイクロミラー表示素子２８に向けて投射するとともに、上記赤、緑、青の光の投射周期に同期させて上記マイクロミラー表示素子２８に赤、緑、青の単色画像データを順次書込むことにより、上記マイクロミラー表示素子２８に赤、緑、青の単色画像を順次表示させ、上記マイクロミラー表示素子２８から順次出射する赤、緑、青の単色画像光を、投影レンズ４５により拡大して投影面に投影するものであり、上記投影面に、赤、緑、青の３色の単色画像が重なって見えるフルカラー画像を表示する。
【００５５】
なお、このプロジェクタは、電源キー２の操作で電源をオンさせて使用されるものであり、電源をオンさせた時点で上記光源装置１７の光源ランプ１８が点灯し、上記カラーホイール３０が回転駆動されてマイクロミラー表示素子２８に赤、緑、青の光が順次投射され、上記マイクロミラー表示素子２８から順次出射する赤、緑、青の光が投影レンズ４５により投影されるとともに、上記吸気ファン５８，５９及び排気ファン６２，６３，６４が駆動され、プロジェクタケース１内の空冷が開始される。
【００５６】
また、上記投影レンズ４５による投影方向を投影面に合わせるプロジェクタケース１の姿勢調整は、上記赤、緑、青の光を投影レンズ４５により投影させた状態で前足部材１４ｂの突出高さを調整することにより行なわれる。
【００５７】
なお、パソコンからの画像信号またはビデオ信号が入力されないときは、上記マイクロミラー表示素子２８の表示エリア全体からフル階調で赤、緑、青の光が順次出射し、その光が投影レンズ４５により投影される。そのため、このときの投影面の投影領域はその全体にわたって白となる。
【００５８】
そして、上記画像信号またはビデオ信号が入力されると、上記マイクロミラー表示素子２８に赤、緑、青の単色画像データが順次書込まれ、上記投影面に赤、緑、青の３色の単色画像が順次投影されてフルカラー画像が表示される。
【００５９】
また、画像投影の終了後は、上記画像信号またはビデオ信号の入力を停止し、電源キー２を操作して電源をオフさせればよく、電源キー２の操作による電源オフで光源装置１７の光源ランプ１８が消灯し、上記カラーホイール３０の回転駆動が停止されるとともに、それからアフタークーリングが完了する一定時間後、または光源温度が一定温度以下になったときに吸気ファン５８，５９及び排気ファン６２，６３，６４の駆動が停止される。
【００６０】
次いで図４を用いて上記プロジェクタ装置の主となる電子回路の機能構成について説明する。  
図中、入出力コネクタ部７１より入力されたＲＧＢビデオ信号を含む各種規格の画像信号が、入出力インタフェース（Ｉ／Ｆ）７２、システムバスＳＢを介して画像変換部７３で所定のフォーマットの画像信号に統一された後に、投影エンコーダ７４へ送られる。
【００６１】
投影エンコーダ７４は、送られてきた画像信号をビデオＲＡＭ７５に展開記憶させた上でこのビデオＲＡＭ７５の記憶内容からビデオ信号を生成して投影処理部７６に出力する。
【００６２】
この投影処理部７６は、送られてきた画像信号に対応して適宜フレームレート、例えば例えば６０［フレーム／秒］と色成分の分割数、及び表示階調数を乗算した、より高速な時分割駆動で上記マイクロミラー表示素子２８を表示駆動する。
【００６３】
このマイクロミラー表示素子２８に対して、リフレクタ２１内に配置された光源ランプ１８が出射する高輝度の白色光を、上記カラーホイール３０を介して適宜原色に着色し、上記導光ロッド３３、ミラー３７等を介して照射することで、その反射光で光像が形成され、上記投影レンズ４５等を介してここでは図示しないスクリーンに投影表示される。
【００６４】
しかるに、光源ランプ１８の点灯駆動、カラーホイール３０を回転駆動するカラーホイール回転モータ（Ｍ）３２はいずれも投影駆動部７７からの供給電圧に基づいて動作する。
【００６５】
この投影駆動部７７はまた、リフレクタ２１の光源ランプ１８近傍に取り付けられた光源温度測定センサ７８からの検知信号を受け、これをデジタル化して制御部８０へ出力する。
【００６６】
上記各回路のすべての動作制御を司るのが制御部８０である。この制御部８０は、ＣＰＵと、後述する投影動作、電源制御動作の処理を含む該ＣＰＵで実行される動作プログラムを記憶した不揮発性メモリ、及びワークメモリ等により構成される。
【００６７】
この制御部８０にはまた、システムバスＳＢを介してインジケータ部８１、音声処理部８２、及びファン制御部８３が接続される。
【００６８】
インジケータ部８１は、上記上面パネル１ｂに配設されたランプインジケータ３、過熱インジケータ４、及びパワー／スタンバイインジケータ７でなり、それらを点灯／点滅駆動する。
【００６９】
音声処理部８２は、ＰＣＭ音源等の音源回路を備え、投影動作時に与えられる音声データをアナログ化し、上記ケース本体１ａのスピーカ用放音部９に設けられたスピーカ８４を駆動して拡声放音し、あるいは必要によりビープ音を発生させる。
【００７０】
また、ファン制御部８３は、上記吸気ファン５８，５９、及び大風力排気ファン６２，６３，６４でなる冷却ファン８７を統括して駆動制御し、通常運転及び後述する静音モード運転に必要な電力を供給する一方で、各ファン５８，５９，６２〜６４が回転に同期して出力するパルス信号により、回転速度が低下し、あるいは停止しているのを検出する。
【００７１】
なお、このプロジェクタ装置に備えられる上記開閉蓋８を開いての各種調整キー及び上記電源キー２、自動画質調整キー５、静音モード設定キー６でキースイッチ部８５を構成するものであり、このキースイッチ部８５と、Ｉｒ受信部８６からの信号が直接制御部８０へ入力される。
【００７２】
このＩｒ受信部８６は、このプロジェクタ装置の前面に設けられた上記リモコン受信部１０、及び背面にリモコン受信部１０と同様に設けられる図示しないリモコン受信部からなり、その赤外光受信信号をコード信号化して上記制御部８０に送出する。
【００７３】
次に上記実施の形態の動作について説明する。  
図５は、電源キー２の操作により電源をオンしてから再度の電源キー２操作により電源をオフするか、あるいはなんらかの異常検出により電源をオフするまでの、主として冷却ファン８７の運転に関する制御処理の内容を示すもので、その制御動作は制御部８０が予め内部の不揮発性メモリに記憶した動作プログラムに基づいて実行する。
【００７４】
すなわち、電源キー２が操作されると制御部８０は、まずファン制御部８３により冷却ファン８７を構成する吸気ファン５８，５９、及び大風力排気ファン６２，６３，６４をそれぞれ通常運転時の定格電圧を印加して回転駆動させる一方で（ステップＳ０１）、冷却ファン８７により光源ランプ１８をこれも定格電圧を印加して発光駆動させる（ステップＳ０２）。
【００７５】
この通常運転を行ないながら、ファン制御部８３により冷却ファン８７を構成する吸気ファン５８，５９及び大風力排気ファン６２，６３，６４の各回転状態を各ファンを回転させるモータから検出されるパルス信号によりサーチし（ステップＳ０３）、異常な回転、具体的には回転速度が低下しているか、または停止しているファンがあるか否かを判断すると共に（ステップＳ０４）、併せて静音モード設定キー６の操作により静音モードが指定されたか否か（ステップＳ０５）、電源キー２が再度操作されて電源のオフが指定されたか否か（ステップ０６）を繰返し判断することで、これらの状態となるのを待機する。
【００７６】
この間、同時に制御部８０は、入出力コネクタ部７１より入力される画像信号に基づいて上記マイクロミラー表示素子２８を表示駆動させ、光源ランプ１８からの発光による光像を形成して投影レンズ４５により投影対象となる図示しないスクリーンに投影表示させるもので、発熱により高温となる光源ランプ１８は、冷却ファン８７の回転駆動により生じる冷却風Ｗにより所定温度以下に維持される。
【００７７】
しかして、この通常運転時に上記静音モード設定キー６が操作された場合、ステップＳ０５でこれを判断し、キー操作に対応した静音モードの設定を行なった後に（ステップＳ０７）、上記ステップＳ０６に至る。
【００７８】
この静音モードにおいては、例えば光源ランプ１８の発光輝度が通常運転時の７０％程度となるように印加電圧を所定の値まで下げ、併せて冷却ファン８７を構成する吸気ファン５８，５９及び大風力排気ファン６２，６３，６４による冷却風Ｗの風量も通常運転時の７０％程度となるように印加電圧を所定の値まで下げて、各ファン５８，５９，６２，６３，６４の回転速度を低下させ、主としてファンの風切り音に基づく騒音を低減することで、投影される画像の輝度はある程度低下するものの、それに伴う冷却ファン８７から発生される騒音を低減させるものである。
【００７９】
しかるに、上記ステップＳ０４で冷却ファン８７を構成するいずれかのファンに異常が生じたと判断した場合、次いでファン制御部８３により異常を生じているファンを特定させ（ステップＳ０８）、その特定した異常を生じているファンのみ、その回転駆動を停止させる（ステップＳ０９）。
【００８０】
同時に、投影駆動部７７により光源ランプ１８を消灯させ、熱源となる光源ランプ１８によるそれ以上の発熱を抑制する（ステップＳ１０）。
【００８１】
このとき併せて制御部８０は、上記ステップＳ０７での処理によりその時点で通常の運転モードではなく静音モードが設定されているか否かを判断し（ステップＳ１１）、静音モードが設定されていると判断した場合にのみ、その静音モードを解除して通常の運転モードに復帰する設定を行なうことで、以下に説明する冷却ファン８７を構成する異常を生じたファン以外の他の全てのファンによる冷却風Ｗの風量の低下を回避する（ステップＳ１２）。
【００８２】
その後あらためて、ファン制御部８３により冷却ファン８７を構成する各ファン５８，５９，６２，６３，６４の中で、異常を特定したファン以外の他の全てのファンを定格電圧で回転駆動する動作設定を行なわせる（ステップＳ１３）。
【００８３】
さらに、光源温度測定センサ７８により光源ランプ１８近傍の温度を検出させ（ステップＳ１４）、検出した温度が、冷却ファン８７による光源ランプ１８の冷却が必要とされる予め設定された温度を下回ったか否かにより、光源ランプ１８の冷却が不要となったか否かを判断し（ステップＳ１５）、まだ冷却が必要であると判断した場合に再び上記ステップＳ１４に戻って、光源温度測定センサ７８による光源ランプ１８の温度検出を行なう、という処理を繰返し実行することで、光源ランプ１８の温度が冷却が不要となるまで低下するのを待機する。
【００８４】
しかして、光源ランプ１８の温度が充分に低下し、異常を生じたファン以外の他のファン全てによる冷却が不要であるとステップＳ１５で判断した時点で、冷却ファン８７を構成する全てのファンの回転駆動を停止させ（ステップＳ１６）、以上で電源を完全にオフとして、この図５の処理を終了する。
【００８５】
また、上記ステップＳ０３〜Ｓ０６の処理を繰返し実行し、通常の運転モードあるいは静音モードでの運転を行ないながら異常を待機している状態から、電源キー２が操作されて電源のオフが指定された場合には、ステップＳ０６でこれを判断し、電源キー２の操作指定に従って、まず投影駆動部７７により光源ランプ１８を消灯させ、熱源となる光源ランプ１８によるそれ以上の発熱を抑制する（ステップＳ１７）。
【００８６】
その後制御部８０は、ファン制御部８３により冷却ファン８７を構成する吸気ファン５８，５９及び大風力排気ファン６２，６３，６４の各回転状態を各ファンを回転させるモータから検出されるパルス信号によりサーチし（ステップＳ１８）、異常な回転、具体的には回転速度が低下しているか、または停止しているファンがあるか否かを判断する（ステップＳ１９）。
【００８７】
ここで、冷却ファン８７を構成するいずれかのファンに異常が生じたと判断した場合、次いでファン制御部８３により異常を生じているファンを特定させ（ステップＳ２０）、その特定した異常を生じているファンのみ、その回転駆動を停止させる（ステップＳ２１）。
【００８８】
その後、上記ステップＳ１３からの処理に進んで正常なファンによる光源ランプ１８の冷却を行なわせ、該冷却が不要となった時点で電源を完全にオフとして、この図５の処理を終了する。
【００８９】
また、上記ステップＳ１９で冷却ファン８７を構成するいずれかのファンにも異常は生じておらず、全て正常であると判断した場合には、そのままステップＳ１４に進んで全てのファンによる光源ランプ１８の冷却を行なわせ、該冷却が不要となった時点で電源を完全にオフとして、この図５の処理を終了する。
【００９０】
このように、複数備えられる冷却ファン５８，５９，６２〜６４のうちの一部に異常を検出した場合でも、その異常な冷却ファンを停止させると共に他の正常な冷却ファンにより冷却動作を継続するため、光源ランプ１８を確実に冷却させることが可能となる。
【００９１】
上記実施の形態の場合、投影動作時に冷却ファンの異常を検出すると、直ちに光源ランプ１８を消灯させた上で冷却動作に入るものとした。そのため、より確実に光源ランプ１８を冷却させ、高価な光源ランプ１８の短命化や破壊を確実に阻止することができる。
【００９２】
加えて、静音モードの設定時にファン５８，５９，６２〜６４のいずれかに異常を生じた場合には、静音モードの設定を解除するものとしたので、他の正常な冷却ファンの有している冷却能力をフルに活用し、より確実に光源ランプ１８を確実に冷却させることができる。
【００９３】
また、上記実施の形態では、投影動作時のみならず、電源がオンされている状態から電源キー２が操作され、光源ランプ１８を消灯してアフタークーリングに移行した際にファン５８，５９，６２〜６４の一部に異常が生じた場合でも、光源ランプ１８の冷却が不要となるまで冷却を継続するものとしたので、高価な光源ランプ１８の短命化や破壊を確実に阻止できる。
【００９４】
なお、上記実施の形態では、異常を生じた冷却ファンを停止させた後、残る他の正常な冷却ファンを全て定格の電圧を印加して駆動するものとして説明したが、本発明はこれにかぎらず、あえて予め冷却風量の大きな冷却ファンを用いるものとし、通常運転時には余裕をもって回転駆動する一方で、異常発生時に正常であると判断された場合には、異常を生じた他の冷却ファンの停止による風力不足を補うように、通常運転時よりも高い電圧を印加してその冷却能力をフルに活用するようにしてもよい。
【００９５】
また、上記実施の形態では、光源ランプ１８として高圧水銀ランプ等のショートアークランプを用い、表示素子２８としてマイクロミラー表示素子を用いるプロジェクタ装置について説明したが、本発明はこれらに限るものではなく、発光駆動により発熱し、高温となって冷却が必要となるような光源ランプを用いる全ての投影装置に同様にして適用し得る。
【００９６】
その他、本発明は上記実施の形態に限らず、その要旨を逸脱しない範囲内で種々変形して実施することが可能であるものとする。
【００９７】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００９８】
【図１】本発明の実施の一形態に係るプロジェクタ装置の外観構成を示す斜視図。
【図２】同実施の形態に係るプロジェクタ装置の横断平面図。
【図３】同実施の形態に係る図２のIII−III線に沿ったプロジェクタ装置の縦断面図。
【図４】同実施の形態に係る電子回路の機能構成を示すブロック図。
【図５】同実施の形態に係る電源オン時から電源オフ時に至る冷却ファンの運転制御の処理内容を示すフローチャート。
【符号の説明】
【００９９】
１…プロジェクタケース、２…電源キー、３…ランプインジケータ、４…過熱インジケータ、５…自動画質調整キー、６…静音モード設定キー、７…パワー／スタンバイインジケータ、１０…リモコン受信部、１５…ロッド脚、１７…光源装置、１８…光源ランプ、１９…ガラスバルブ、２１…リフレクタ、２２…モータ、２４…防爆ガラス、２５…防爆カバー、２８…マイクロミラー表示素子、２９…光源側光学系、３０…カラーホイール、３２…カラーホイール回転モータ、３３…導光ロッド、３４，３５…光源側レンズ、３７…ミラー、３８…光源側ハウジング、４３…カバーガラス、４４…中継レンズ、４５…投影レンズ、５２…電源系回路基板、５８，５９…吸気ファン、６２〜６４…大風力排気ファン、７１…入出力コネクタ部、７２…入出力インタフェース、７３…画像変換部、７４…投影エンコーダ、７５…ビデオＲＡＭ、７６…投影処理部、７７…投影駆動部、７８…光源温度測定センサ、８０…制御部、８１…インジケータ部、８２…音声処理部、８３…ファン制御部、８４…スピーカ、８５…キースイッチ部、８６…Ｉｒ受信部、８７…冷却ファン、ＳＢ…システムバス、Ｗ…冷却風。
【図１】
2006235317.tif 000003
【図２】
2006235317.tif 000004
【図３】
2006235317.tif 000005
【図４】
2006235317.tif 000006
【図５】
2006235317.tif 000007